(57)【要約】【課題】簡単な構成で、金融自動化機器そのものが持ち去られてしまうといった犯罪に対する効果的な防犯機能を果たす。【解決手段】ＡＴＭに駆動電力（ＡＣ１００Ｖ）を供給する電源供給ユニット７の電源部１８に、１００Ｖ出力部２４と５Ｖ出力部２５とを設け、出力リレー部１９によって切替え可能とする。制御部１６は、ＡＴＭに対し、その稼働時には駆動電力を供給し、非稼働時には低電圧電力（ＤＣ５Ｖ）を供給する。低電圧電力の供給によりＡＴＭの負荷回路に流れる電流を電流監視部２０により監視し、低電圧電流を検出しなくなったときに、制御部１６は電源線８の断線ひいてはＡＴＭの移動があったと判定して、通信部１７を介して防犯管理センタの管理サーバにその旨を通報する。また、ＡＴＭ内にＧＰＳ機能付きの携帯電話機を設け、管理サーバからの要求信号を受信すると、ＧＰＳ機能を用いて自機の現在位置を検出し、その現在位置情報を管理サーバに送信する。【選択図】　図２
2004038865.tif 000002
【特許請求の範囲】
【請求項１】
金融機関の店舗等に設置される金融自動化機器と、この金融自動化機器に対して駆動電力の供給制御を行う電源制御装置と、防犯管理センタ等に設置され前記電源制御装置とネットワークを介して接続される上位コンピュータとを備える金融自動化機器の防犯システムであって、
前記電源制御装置は、前記金融自動化機器の非稼働時において、該金融自動化機器に対して前記駆動電力よりも低電圧の低電圧電力を供給すると共に、該金融自動化機器に流れる低電圧電流を監視し、低電圧電流が検出されなくなったときに、前記上位コンピュータにその旨の通報を行うように構成されていることを特徴とする金融自動化機器の防犯システム。
【請求項２】
前記電源制御装置から前記金融自動化機器に対して低電圧電力を供給する通電線は、駆動電力供給用の電源線と共用されていることを特徴とする請求項１記載の金融自動化機器の防犯システム。
【請求項３】
前記金融自動化機器は、前記駆動電力が入力される電源入力回路と並列に、前記低電圧電力により電流が流れる負荷回路を有することを特徴とする請求項１又は２記載の金融自動化機器の防犯システム。
【請求項４】
前記金融自動化機器は、自機の現在位置を検出する自位置検出手段と、外部との無線通信を行うための無線通信手段とを備え、前記自位置検出手段により検出した自機の現在位置情報を、前記無線通信手段により送信することが可能に構成されていることを特徴とする請求項１ないし３のいずれかに記載の金融自動化機器の防犯システム。
【請求項５】
前記上位コンピュータは、前記電源制御装置からの通報を受けたときに、該当する金融自動化機器との間で無線通信を行ってその現在位置情報を取得するように構成されていることを特徴とする請求項４記載の金融自動化機器の防犯システム。
【請求項６】
前記自位置検出手段及び無線通信手段は、前記金融自動化機器に内蔵されたＧＰＳ機能付きの携帯電話機から構成されることを特徴とする請求項４又は５記載の金融自動化機器の防犯システム。
【請求項７】
少なくとも１台の金融自動化機器を含む負荷に対して駆動電力の供給制御を行う電源制御装置であって、
前記金融自動化機器の非稼働時において、該金融自動化機器に対して前記駆動電力よりも低電圧の低電圧電力を供給する低電圧電力供給手段と、
前記低電圧電力の供給時に、前記金融自動化機器に流れる低電圧電流を監視する電流監視手段と、
この電流監視手段が低電圧電流を検出しなくなったときに外部にその旨の通報を行う通報手段とを具備することを特徴とする電源制御装置。
【請求項８】
金融機関の店舗等に設置される金融自動化機器であって、
自機の現在位置を検出する自位置検出手段と、外部との無線通信を行うための無線通信手段とを備え、前記自位置検出手段により検出した自機の現在位置情報を、前記無線通信手段により送信することが可能に構成されていることを特徴とする金融自動化機器。
【請求項９】
前記自位置検出手段及び無線通信手段は、ＧＰＳ機能付きの携帯電話機から構成されることを特徴とする請求項８記載の金融自動化機器。
【発明の詳細な説明】
【０００１】
【発明の属する技術分野】
本発明は、防犯効果を高めることができる金融自動化機器の防犯システム、電源制御装置及び金融自動化機器に関する。
【０００２】
【発明が解決しようとする課題】
一般に、金融機関例えば銀行には、金融自動化機器のコーナーが設けられ、複数台のＡＴＭ（ａｕｔｏｍａｔｅｄ　ｔｅｌｌｅｒ　ｍａｃｈｉｎｅ；現金自動預払機）等が設置されるようになっている。この場合、前記複数台のＡＴＭは、プログラマブルコントローラの機能を有する電源制御装置に接続され、例えば営業開始時刻になると駆動電力（ＡＣ１００Ｖ）が供給され、営業の終了時刻になると電源がオフされるようになっている。また、該コーナーに設けられている電灯や、自動ドア、アナウンス装置等の他の負荷に対しても、前記電源制御装置により、電源の供給制御が行われるようになっている。さらに、前記電源制御装置は、各負荷の状態を監視する機能も有し、異常（故障）などの発生時には、防犯管理センタのコンピュータなどに通知するようになっている。
【０００３】
ところで、上記ＡＴＭなどの金融自動化機器は、多額の現金が収納されているため、犯罪の対象となる可能性が高い。このようなＡＴＭにおいては、防犯対策上、筐体や内部の現金が収納されるユニット自体が堅牢に構成されているため、近年では、ＡＴＭの非稼働時例えば銀行内が無人となる深夜などにおいて、ＡＴＭそのものが持ち去られて（盗まれて）しまうといった犯罪が起こっている。
【０００４】
従来では、ＡＴＭコーナーのドアや窓等に防犯センサを取付け、営業時間後も、警備会社の防犯管理センタにて監視を行うといった防犯対策は行われているが、ＡＴＭ自体が持ち去られたことを検出する手段は設けられていなかった。この場合、ＡＴＭは、銀行のホストコンピュータに接続されているものの、ＡＴＭの電源オフ時には何ら対応はできず、また、前記電源制御装置においても、ＡＴＭの電源オフ時にはＡＴＭの状態を検出することはできなかった。
【０００５】
そこで、ＡＴＭが持ち去られた（設置場所から移動された）ことを検出するためのセンサを新たに取付けることも考えられるが、配線等も含めて構成が複雑となり、また、防犯システムに精通している者が、防犯センサなどを無効化した上で犯行を行うことも考えられ、十分な防犯効果が得られない虞もある。尚、従来では、ＡＴＭが持ち去られるような犯罪があった場合に、その後どうするかといった点での有効な対応策もとられていなかった。
【０００６】
本発明は上記事情に鑑みてなされたもので、その目的は、簡単な構成で、効果的に防犯機能を果たすことができる金融自動化機器の防犯システム、並びに、その防犯システムを構成するに好適な電源制御装置及び金融自動化機器を提供するにある。
【０００７】
【課題を解決するための手段】
本発明者は、ＡＴＭ等の金融自動化機器に対する電力供給制御を行っている電源制御装置に、金融自動化機器が持ち去られた（移動された）ことを検出する機能を設けることができれば、新たなセンサ等を設けずとも防犯対策が可能となることを着想すると共に、金融自動化機器そのものが盗まれる際には、金融自動化機器と電源制御装置との間を接続している電源線や信号通信線の物理的な切断を伴う点に着目し、本発明を成し遂げたのである。
【０００８】
即ち、本発明の金融自動化機器の防犯システムは、金融自動化機器に対して駆動電力の供給制御を行う電源制御装置に、金融自動化機器の非稼働時において、該金融自動化機器に対して駆動電力よりも低電圧の低電圧電力を供給すると共に、該金融自動化機器に流れる低電圧電流を監視し、低電圧電流が検出されなくなったときに、上位コンピュータにその旨の通報を行う機能を設けたところに特徴を有する（請求項１の発明）。
【０００９】
これによれば、金融自動化機器の非稼働時において、金融自動化機器が正常な状態にあれば、電源制御装置は、金融自動化機器に低電圧電流が流れていることを検出することになる。これに対し、金融自動化機器が持ち去られた（移動した）場合、低電圧電力を供給する通電線が切断されることになり、低電圧電流が検出されなくなる。これにより、金融自動化機器が持ち去られた（移動した）ことを確実に検出することができ、その旨を上位コンピュータに通報することができる。この場合、非稼働時において金融自動化機器に供給される電力は、駆動電力と比べて十分に低い電圧で良いので、消費電力が徒に大きくなることもない。
【００１０】
従って、請求項１の発明によれば、電源制御装置に、金融自動化機器が持ち去られた（移動された）ことを検出する機能が付加されるようになり、効果的に防犯機能を果たすことができ、しかも、金融自動化機器の移動を検出するための新たなセンサを付加することなく簡単な構成で済ませることができる。
【００１１】
このとき、電源制御装置から金融自動化機器に対して低電圧電力を供給するための通電線を、駆動電力供給用の電源線と共用することが望ましく（請求項２の発明）、また、金融自動化機器に、駆動電力が入力される電源入力回路と並列に、非稼働時に電源制御装置から供給される低電圧電力により電流が流れる負荷回路を設けるようにすれば、より効果的である（請求項３の発明）。
【００１２】
そして、前記金融自動化機器に、自機の現在位置を検出する自位置検出手段を設けると共に、外部との無線通信を行うための無線通信手段を設け、自位置検出手段により検出した自機の現在位置情報を、無線通信手段により送信可能に構成することができる（請求項４の発明）。これによれば、金融自動化機器が持ち去られるような犯罪があった場合に、その金融自動化機器が自らの位置を外部に知らせることによって、持ち去られた金融自動化機器の追跡が可能となり、その奪回や犯人の検挙等に有効となる。
【００１３】
この場合、前記上位コンピュータが、電源制御装置からの通報を受けたときに、該当する金融自動化機器との間で無線通信を行ってその現在位置情報を取得するように構成することができる（請求項５の発明）。さらに、上記した金融自動化機器に設けられる位置検出手段及び無線通信手段を、既存のＧＰＳ機能付きの携帯電話機から構成することができ（請求項６の発明）、これにより、位置検出手段及び無線通信手段を簡易で比較的安価に構成することができる。
【００１４】
本発明の電源制御装置は、金融自動化機器に対して駆動電力の供給制御を行うものにあって、金融自動化機器の非稼働時において、該金融自動化機器に対して駆動電力よりも低電圧の低電圧電力を供給する低電圧電力供給手段と、低電圧電力の供給時に、金融自動化機器に流れる低電圧電流を監視する電流監視手段と、この電流監視手段が低電圧電流を検出しなくなったときに外部にその旨の通報を行う通報手段とを具備するところに特徴を有する（請求項７の発明）。これによれば、金融自動化機器が持ち去られた（移動された）ことを検出する機能が付加されるようになり、効果的に防犯機能を果たすことが可能となる。
【００１５】
本発明の金融自動化機器は、自機の現在位置を検出する自位置検出手段と、外部との無線通信を行うための無線通信手段とを備え、自位置検出手段により検出した自機の現在位置情報を、無線通信手段により送信することが可能に構成されているところに特徴を有する（請求項８の発明）。これによれば、金融自動化機器が持ち去られるような犯罪があった場合に、自らの位置を外部に知らせることによって、持ち去られた金融自動化機器の追跡が可能となり、その奪回や犯人の検挙等に有効となる。このとき、位置検出手段及び無線通信手段を、ＧＰＳ機能付きの携帯電話機から構成することにより（請求項９の発明）、位置検出手段及び無線通信手段を簡易で比較的安価に構成することができる。
【００１６】
【発明の実施の形態】
以下、本発明を銀行のＡＴＭコーナーに設けられるＡＴＭの防犯システムに適用した一実施例について、図面を参照しながら説明する。まず、図４に示すように、金融機関たる銀行の店舗には、営業室１とは区切られた（分離された）形態でＡＴＭコーナー２が設けられるようになっており、そのＡＴＭコーナー２内には、例えば出入口部２ａとは反対側（奥側）の壁部に沿って、複数台（図では３台）の金融自動化機器たるＡＴＭ３が設置されている。
【００１７】
詳しい図示及び説明は省略するが、このＡＴＭ３は、筐体の前面部に、預金通帳やキャッシュカードの挿入口、表示部、タッチパネルからなる入力操作部、紙幣出入口等を有している。また、ＡＴＭ３内には、マイコン（ＣＰＵ）を主体とし全体の制御を行う制御部が設けられていると共に、磁気ストライプのデータを読取る読取部、取引明細書発行部、通帳記入部、入出金処理部、銀行のホストコンピュータとの間で通信を行う通信部等が設けられている。尚、図３では、上記各機構を、ＡＴＭ機能部４と総称している。さらに、図３に示すように、このＡＴＭ３内には、次に述べる電源供給ユニットに接続され前記ＡＴＭ機能部４に必要な電源を供給する電源入力回路５が設けられている。
【００１８】
そして、図４に示すように、前記ＡＴＭコーナー２の奥部（ＡＴＭ３が設置されている壁の裏面側）には、機械室６が設けられており、この機械室６に、本実施例に係る電源制御装置たる電源供給ユニット７が設けられている。この電源供給ユニット７は、電源線（ケーブル）８を介して前記複数個のＡＴＭ３に接続され、それらＡＴＭ３（電源入力回路５）に駆動電力（ＡＣ１００Ｖ）を供給するようになっている。
【００１９】
このとき、この電源供給ユニット７は、プログラマブルコントローラの機能を有し、所定のプログラムに従って、例えば営業開始時刻になるとＡＴＭ３に駆動電力を供給（電源オン）し、営業の終了時刻になるとその供給を停止する（電源をオフする）ようになっている。また、図示はしないが、この電源供給ユニット７は、ＡＴＭコーナー２に設けられている電灯や、出入口部２ａの自動ドア、アナウンス装置等の他の負荷に対しても、電源の供給制御を行うようになっている。更に、電源供給ユニット７は、稼働時における各負荷の状態を監視する機能も有し、異常（故障）などの発生時には、後述する防犯管理センタの管理サーバに通知するようになっている。
【００２０】
さて、本実施例においては、上記したＡＴＭコーナー２における非稼働時例えば銀行内が無人となる深夜などにおいて、ＡＴＭ３そのものが持ち去られて（盗まれて）しまう犯罪に対処するため、以下のような防犯システムが構築されるようになっている。この防犯システムは、ＡＴＭ３そのものが盗まれる際には、例えば図４に×印で示すように、ＡＴＭ３と電源供給ユニット７との間を接続している電源線８の物理的な切断を伴うことに着目して構成されるようになっている。図１は、本実施例に係る防犯システムの構成を概略的に示しており、また、図２及び図３は、その防犯システムを実現するための前記電源供給ユニット７及びＡＴＭ３の要部の電気的構成を夫々概略的に示している。
【００２１】
即ち、まず、図１において、前記ＡＴＭコーナー２の電源供給ユニット７は、例えばインターネット等のネットワーク９を介して、警備会社の防犯管理センタ１０に設けられる上位コンピュータたる管理サーバ１１に接続されている。また、この防犯管理センタ１０は、前記管理サーバ１１に接続された表示装置１２を備えている。さらに、前記管理サーバ１１は、前記ネットワーク９を介して携帯電話管理センタ（制御局）１３の管理コンピュータ１４に接続されている。前記携帯電話管理センタ１３の管理コンピュータ１４は、ゾーン毎に設けられた複数（１個のみ図示）の携帯電話基地局１５に接続されている。
【００２２】
そして、図２に示すように、前記電源供給ユニット７は、全体の制御を行う制御部１６、前記管理サーバ１１との間での通信を行い通報手段として機能する通信部１７、負荷に対する出力電力を得るための電源部１８、出力電力を切替えるための出力リレー部１９、電流監視手段たる電流監視部２０等を備えて構成されている。そのうち制御部１６は、ＭＰＵ２１，ＲＯＭ２２，ＲＡＭ２３等からなるマイコンを主体として構成されている。また、前記電源部１８は、負荷（ＡＴＭ３）に対して駆動電力（ＡＣ１００Ｖ）を供給するための１００Ｖ出力部２４と、該ＡＴＭ３に対してその駆動電力よりも低電圧の低電圧電力（例えばＤＣ５Ｖ）を供給するための５Ｖ出力部２５とを備えて構成されている。
【００２３】
前記制御部１６は、そのソフトウエア的構成（プログラムの実行）により、出力リレー部１９を制御して、ＡＴＭ３の稼働時には、該ＡＴＭ３（電源入力回路５）に駆動電力を供給し、ＡＴＭ３の非稼働時には、出力リレー部１９を切替えて、該ＡＴＭ３（後述する負荷回路）に低電圧電力を供給するようになっている。これにて、５Ｖ出力部２５、制御部１６、出力リレー部１９等から低電圧電力供給手段が構成されるようになっている。また、本実施例では、ＡＴＭ３に対して低電圧電力を供給する通電線は、駆動電力供給用の電源線８と共用されるようになっている。
【００２４】
前記電流監視部２０は、ＡＴＭ３の非稼働時に該ＡＴＭ３（負荷回路）に流れる電流を監視し、その電流監視（検出）信号が前記制御部１６に入力されるようになっている。そして、後の作用説明でも述べるように、制御部１６は、電流監視部２０が低電圧電流を検出しなくなったときに、電源線８の断線ひいてはＡＴＭ３の移動があったと判定して、前記通信部１７を介して前記管理サーバ１１に対してその旨の通報を行うようになっている。
【００２５】
一方、図３に示すように、前記ＡＴＭ３には、前記ＡＴＭ機能部４に電力を供給する電源入力回路５に並列に、前記低電圧電力により電流が流れる負荷回路２６が設けられている。この場合、負荷回路２６を単なる抵抗器（例えば５ｋΩ程度）から構成することができる。また、前記電源入力回路５は、前記低電圧電力（ＤＣ５Ｖ）では動作することはない。そして、このＡＴＭ３の筐体内には、ＧＰＳ機能付きの携帯電話機２７が内蔵されている。
【００２６】
詳しい図示及び説明は省略するが、この携帯電話機２７は、前記基地局１５を介して外部の通信機器との間で無線通信を行う機能を備えると共に、ＧＰＳ衛星からの信号を受信することに基づいて自機の現在位置（経度，緯度）を検出（測位）する機能を備えるものであり、現在市販されている既存のものを使用することができる。尚、この携帯電話機２７は、常に待受け状態（電源オンの状態）とされるようになっており、この場合、携帯電話機２７が内蔵する二次電池に対して、ＡＴＭ３内で適宜充電が行われるようになっている。
【００２７】
これにて、ＡＴＭ３は、自機の現在位置を検出する自位置検出手段と、外部との無線通信を行うための無線通信手段とを備えることになる。さらに、前記携帯電話機２７は、そのソフトウエア構成（プログラムの実行）により、外部（管理サーバ１１）からの現在位置報知の要求信号を自動着信するようになっており、その要求信号を受信すると、前記ＧＰＳ機能を用いて自機の現在位置を検出し、その後、検出した現在位置情報を、自動発信により管理サーバ１１に対して送信するようになっている。
【００２８】
前記防犯管理センタ１０の管理サーバ１１は、上述のように、電源供給ユニット７から、ＡＴＭ３の移動があった旨の通報を受けると、携帯電話管理センタ１３の管理コンピュータ１４（及び携帯電話基地局１５）を介して、該当するＡＴＭ３が内蔵する携帯電話機２７に対して、現在位置報知の要求信号を発信し、その後、携帯電話機２７から現在位置情報を取得すると、表示装置１２に地図と共にその位置を表示し、該ＡＴＭ３を追跡できるようになっているのである。尚、警察等への通報も併せて行われるようになっている。
【００２９】
次に、上記構成の作用について、図５も参照して述べる。図５のフローチャートは、前記電源供給ユニット７の制御部１６が、ＡＴＭ３の非稼働時（営業時間外）に実行する処理の手順を概略的に示している。即ち、上述のように、ＡＴＭ３の稼働時（営業時間内）は、電源供給ユニット７は、各ＡＴＭ３の電源入力回路５に対して電源線８を通して駆動電力（ＡＣ１００Ｖ）を供給する。このＡＴＭ３の稼働時には、電源供給ユニット７により、各負荷の状態が監視され、異常（故障）などの発生時には、防犯管理センタ１０の管理サーバ１１に通知がなされるようになっている。
【００３０】
ＡＴＭコーナー２の営業時間は例えば１８：００までとされ、その営業時間が終了すると、制御部１６が出力リレー部１９を制御し、ＡＴＭ３に対する駆動電力（ＡＣ１００Ｖ）の供給を停止する（ステップＳ１）。尚、ＡＴＭコーナー２においては、営業終了時刻の所定時間前になると、アナウンス装置によりその旨が音声報知されると共に、出入口部２ａの自動ドアが外側から開放不能になる等の制御が行われ、実際には、ＡＴＭ３の停止は、最後の顧客による操作が終了した後に行われる。さらに、自動ドアのオフ（ロック）、電灯の消灯等も併せて行われる。
【００３１】
そして、駆動電力の出力が停止されると、所定時間（例えば１０秒間）の待ち時間を経た後（ステップＳ２）、出力リレー部１９による電源の切替えが行われ、ＡＴＭ３に対する低電圧電力（ＤＣ５Ｖ）の供給が行われる（ステップＳ３）。これにて、ＡＴＭ３は、電源オフ状態（非稼働状態）となるのであるが、この非稼働時にも、電源供給ユニット７からの負荷回路２６に対する低電圧の電力供給が行われ、負荷回路２６に低電流（例えば１ｍＡ）が流れることになる。この場合、非稼働時においてＡＴＭ３に供給される電力は、駆動電力と比べて十分に低い電圧なので、消費電力を小さく抑えることができることは勿論である。
【００３２】
そして、この状態では、電流監視部２０により、常にＡＴＭ３の負荷回路２６に流れる電流が監視され（ステップＳ４）、異常発生の有無、つまり負荷回路２６に正常に電流が流れているかどうかが判断される（ステップＳ５）。ここで、ＡＴＭ３などの金融自動化機器は、多額の現金が収納されているため、犯罪の対象となる可能性が高いが、ＡＴＭ３においては、防犯対策上、筐体や内部の現金が収納されるユニット自体が堅牢に構成されているため、ＡＴＭ３の非稼働時（電源オフ時）の例えば深夜などにおいて、ＡＴＭ３そのものが持ち去られてしまうといった虞が考えられる。
【００３３】
今、ＡＴＭ３そのものが盗まれる（移動される）際には、ＡＴＭ３と電源供給ユニット７との間を接続している電源線８の物理的な切断を伴うことになる。もし、電源線８が切断されると、負荷回路２６に電流が流れなくなるので、電流監視部２０が電流を検出しなくなり、これにて、ＡＴＭ３の異常（移動）を検出できるのである。制御部６は、電流監視部２０により電流が検出されなくなると（ステップＳ５にてＹｅｓ）、通信部１７を介して、防犯管理センタ１０の管理サーバ１１に対し、ＡＴＭ３に異常（移動）が検出された旨の通報を行う（ステップＳ６）。このとき、さらに制御部６は、出入口部２ａの自動ドアを開放できない状態とするようになっている（ステップＳ７）。
【００３４】
そして、図示はしないが、防犯管理センタ１０では、その通報を受けると、警察等の関連各所への連絡を行うようになっており、これと共に、管理コンピュータ１１は、移動したＡＴＭ３が内蔵している携帯電話機２７に対して、現在位置報知の要求信号を発信するようになっている。携帯電話機２７は、その要求信号を自動着信すると、ＧＰＳ機能を用いて自機の現在位置を検出し、検出した現在位置情報を、自動発信により管理サーバ１１に対して送信するようになっている。管理サーバ１１が携帯電話機２７から現在位置情報を取得することにより、持ち去られたＡＴＭ３の追跡が可能となるのである。
【００３５】
このように本実施例によれば、ＡＴＭコーナー２に設けられる各種の負荷に対して電源を供給制御するための電源供給ユニット７に、従来には設けられることのなかったＡＴＭ３が持ち去られた（移動された）ことを検出する機能が付加されるようになり、効果的に防犯機能を果たすことができる。この場合、ＡＴＭ３の移動を検出するための新たなセンサを付加するといったことなく、簡単な構成で済ませることができるものである。
【００３６】
そして、特に本実施例では、ＡＴＭ３に、携帯電話機２７を内蔵させ、ＧＰＳによって自機の現在位置を検出すると共に、検出した自機の現在位置情報を管理サーバ１１に対して無線通信により送信するように構成したので、ＡＴＭ３が持ち去られるような犯罪があった場合に、その追跡が可能となり、その奪回や犯人の検挙等に有効となる。このとき、既存のＧＰＳ機能付きの携帯電話機２７を採用したことにより、位置検出手段及び無線通信手段を簡易で比較的安価に構成することができる利点も得ることができる。
【００３７】
尚、本発明は上記実施例に限定されるものではなく、例えば金融自動化機器としては、ＡＴＭに限らず、支払処理のみを行うＣＤや、自動振込機、自動両替機等にも本発明を適用することができ、また、金融自動化機器が設置される場所としても、銀行等の金融機関の店舗部分に設けられたＡＴＭコーナー限らず、デパートや企業内の施設等に設置されるものであっても良い。更には、上記実施例ではＧＰＳ機能付きの携帯電話機２７をＡＴＭ３に内蔵させるようにしたが、位置検出手段及び無線通信手段を別途に金融自動化機器に組込むようにしても良い等、本発明は要旨を逸脱しない範囲内で適宜変更して実施し得るものである。
【図面の簡単な説明】
【図１】本発明の一実施例を示すもので、防犯システムの全体構成を概略的に示す図
【図２】電源供給ユニットの要部の電気的構成を示す図
【図３】ＡＴＭの要部の電気的構成を示す図
【図４】銀行のＡＴＭコーナーのレイアウトを示す平面図
【図５】ＡＴＭの非稼働時に電源供給ユニットの制御部が実行する処理手順を示すフローチャート
【符号の説明】
図面中、２はＡＴＭコーナー、３はＡＴＭ（金融自動化機器）、４はＡＴＭ機能部、５は電源入力回路、７は電源供給ユニット（電源制御装置）、８は電源線、９はネットワーク、１０は防犯管理センタ、１１は管理サーバ（上位コンピュータ）、１６は制御部、１７は通信部（通報手段）、１８は電源部、１９は出力リレー部、２０は電流監視部（電流監視手段）、２４は１００Ｖ出力部、２５は５Ｖ出力部、２６は負荷回路、２７は携帯電話機（自位置検出手段，無線通信手段）を示す。
【図１】
2004038865.tif 000003
【図２】
2004038865.tif 000004
【図３】
2004038865.tif 000005
【図４】
2004038865.tif 000006
【図５】
2004038865.tif 000007